(57)【要約】【課題】出力電圧値と出力電流値との関係で規定される過電流保護特性に基づいて設定されたピーク出力電流値以下に出力電流値を制限する電源回路において、電源回路の入力電圧値が正常な電圧値に復帰したときに、電源回路の出力電圧値を正常な電圧値に復帰することができる電源回路を提供する。【解決手段】電源部４は、入力される直流電圧を任意の直流電圧に変換して出力し、出力電圧値と出力電流値との関係を規定する過電流保護特性に基づいて設定されたピーク出力電流値以下に出力電流値を制限する。ピーク出力電流値増大回路６は、電源部４に入力される直流電圧の変化量が所定の値より大きいことを検知した場合、ピーク出力電流値を一定時間だけ増大する。【選択図】図４
2012085488.tif 000002
【特許請求の範囲】
【請求項１】
入力される直流電圧を任意の直流電圧に変換して出力し、出力電圧値と出力電流値との関係を規定する過電流保護特性に基づいて設定されたピーク出力電流値以下に出力電流値を制限する第１の電源部と、
前記第１の電源部の入力電圧又は出力電圧の変化量が所定の値より大きい場合に、前記ピーク出力電流値を一定時間だけ増大するピーク出力電流値増大回路と、を備えたことを特徴とする電源回路。
【請求項２】
前記第１の電源部は、
前記第１の電源部の入力電流又は出力電流に比例した電圧を増幅する第１の増幅器と、
前記第１の電源部から出力された直流電圧と基準電圧との誤差を増幅する第２の増幅器と、
前記第２の増幅器の出力電圧を電圧制限値以下に制限する電圧制限回路と、
前記第１の増幅器の出力と前記第２の増幅器の出力とを比較する比較器と、
前記比較器の出力に応じて、前記第１の電源部の出力電圧を一定の値に制御する制御回路と、を有し、
前記ピーク出力電流値増大回路は、前記第１の電源部の入力電圧又は出力電圧の変化量が所定の値より大きい場合に、前記第１の増幅器の増幅率を前記一定時間だけ減少させる請求項１に記載の電源回路。
【請求項３】
前記第１の電源部は、
前記第１の電源部の入力電流又は出力電流に比例した電圧を増幅する第１の増幅器と、
前記第１の電源部から出力された直流電圧と基準電圧との誤差を増幅する第２の増幅器と、
前記第２の増幅器の出力電圧を電圧制限値以下に制限する電圧制限回路と、
前記第１の増幅器の出力と前記第２の増幅器の出力とを比較する比較器と、
前記比較器の出力に応じて、前記第１の電源部が出力する直流電圧を一定の値に制御する制御回路と、を有し、
前記ピーク出力電流値増大回路は、前記第１の電源部の入力電圧又は出力電圧の変化量が所定の値より大きい場合に、前記電圧制限値を前記一定時間だけ増大させる請求項１に記載の電源回路。
【請求項４】
前記電圧制限回路は、前記電圧制限値を設定する電流しきい値を規定し、
前記ピーク出力電流値増大回路は、前記第１の電源部の入力電圧又は出力電圧の変化量が所定の値より大きい場合に、前記電流しきい値を前記一定時間だけ増大させる請求項３に記載の電源回路。
【請求項５】
前記ピーク出力電流値増大回路は、前記第１の電源部の入力電圧又は出力電圧の変化量が所定の値より大きい場合に、前記出力電圧値が零のときの前記出力電流値を前記一定時間だけ増大する請求項１から４のうちのいずれか１項に記載の電源回路。
【請求項６】
前記ピーク出力電流値増大回路は、前記第１の電源部の入力電圧又は出力電圧の変化量が所定の値より大きい場合に、前記出力電流値を、前記第１の電源に接続された負荷を駆動するのに必要な電流の電流値よりも前記一定時間だけ大きくする請求項１から５のうちのいずれか１項に記載の電源回路。
【請求項７】
前記一定時間は、前記第１の電源が停止してから復帰する途中までの時間以上の時間である請求項１から６のうちのいずれか１項に記載の電源回路。
【請求項８】
前記第１の電源部から出力された直流電圧が入力され、入力される直流電圧を任意の直流電圧に変換して出力する第２の電源部を更に備えた請求項１から７のうちのいずれか１項に記載の電源回路。
【発明の詳細な説明】
【技術分野】
【０００１】
本発明は、入力される直流電圧を任意の直流電圧に変換して出力する電源回路に関する。
【背景技術】
【０００２】
このような電源回路として、出力電圧を一定値に制御する電流モード制御を行う電源回路（例えば、特許文献１）や、過電流保護のために電流制限値以下の電流が流れるように電流を制限する電流制限機能を有する電源回路（例えば、特許文献２）が提案されている。
【０００３】
従来の電源回路は、車両制御装置のような電子機器に備えられており、単一の電源部を有する。電源部は、主スイッチング素子と、同期整流用スイッチング素子と、容量性素子として機能するコンデンサと、誘導性素子として機能するコイルと、抵抗と、制御ＩＣと、出力部と、を有し、制御ＩＣは、エラーアンプと、電流モニタ用増幅器と、クランプ回路と、コンパレータと、制御回路と、を有する。
【０００４】
図１は、状来の電源回路の動作を説明するための図である。図１において、実線ａは、制御回路に入力されるクロックパルスを示し、実線ｂは、電流モニタ用増幅器が出力する増幅された電圧値を示し、実線ｃは、エラーアンプが出力する増幅された誤差値を示し、破線ｄは、クランプ回路が設定するエラーアンプの出力のクランプ電圧を示す。
【０００５】
制御回路は、クロックパルスの立上り縁（例えば、図１の時間ｔ１）において、主スイッチング素子をオンにするとともに同期整流用スイッチング素子をオフにする。その後、制御回路は、エラーアンプから出力される増幅された誤差値が電流モニタ用増幅器から出力される増幅された電圧値に到達する（例えば、図１の時間ｔ２）と、主スイッチング素子をオフにするとともに同期整流用スイッチング素子をオンにする。このように主スイッチング素子及び同期整流用スイッチング素子を相補的にオンオフすることによって、電源回路は、電源から入力される直流電圧（例えば、１３Ｖ）を任意の直流電圧（例えば、３．３Ｖ）に変換して出力する。
【０００６】
ところで、出力部に接続される負荷に供給される出力電流の中心値（オフセット値）が増加すると、コイルに流れる電流の中心値（オフセット値）が増加する。このようにコイルに流れる電流の中心値（オフセット値）が増加する間（例えば、図１の時間ｔ３と時間ｔ４との間）、電源回路の出力電圧を一定にするために、エラーアンプから出力される増幅された誤差値も増大する。エラーアンプから出力される増幅された誤差値が、クランプ回路が設定するエラーアンプの出力のクランプ電圧に到達する（例えば、図１の時間ｔ４）と、エラーアンプがクランプされる最大出力電圧を超えないように出力電流に電流制限がかけられる。
【０００７】
図２は、従来の電源回路の過電流保護特性及び従来の電源回路に接続される負荷の負荷特性を示すグラフである。図２において、電圧値［Ｖ］を縦軸にプロットし、電流値［Ａ］を横軸にプロットし、実線ｅは、制御ＩＣで設定される電源回路の過電流保護特性を示し、実線ｆは、出力部に接続される負荷の負荷特性を示す。
【０００８】
図２の実線ｅで示すように、制御ＩＣで設定される過電流保護特性は、フの字特性を示す。すなわち、出力電圧が所定の電圧値（この場合、３．３Ｖ）より低い予め設定された電圧値（この場合、２．５Ｖ）以下に下がった場合、出力電流値は、出力電圧が低下する直前のピーク出力電流値（この場合、約５Ａ）から徐々に小さくなるように制限される。
【０００９】
このように、出力電圧値と出力電流値との関係で規定されるフの字特性の過電流保護特性に基づいて設定されたピーク出力電流値以下に出力電流値を制限することによって、過電流保護機能を実現する際に主スイッチング素子及び同期整流用スイッチング素子の電力損失を小さくすることができる。
【００１０】
また、図２の実線ｆで示すように、出力部に接続される負荷を起動するのに必要な電流は、負荷に印加される電圧に応じて変化する。例えば、負荷に０．５Ｖの電圧が印加されている場合には、約２．２Ａの電流を必要とし、負荷に１Ｖの電圧が印加されている場合には、負荷を起動するのに約３．５Ａの電流を必要とする。
【００１１】
電流モニタ用増幅器に入力される電圧の中心値（オフセット値）は、出力電流（負荷電流）の中心値（オフセット値）と抵抗の抵抗値との積となり、電流モニタ用増幅器に入力される電圧の変動値（リップル値）は、出力電流の変動値（リップル値）と抵抗の抵抗値との積となる。電流モニタ用増幅器から出力される電圧の中心値（オフセット値）は、電流モニタ用増幅器に入力される電圧の中心値（オフセット値）と電流モニタ用増幅器の増幅率との積となり、電流モニタ用増幅器から出力される電圧の変動値（リップル値）は、電流モニタ用増幅器に入力される電圧の変動値（リップル値）と電流モニタ用増幅器の増幅率との積となる。
【００１２】
エラーアンプから出力される電圧は、出力電流の中心値（オフセット値）に応じて線形的に変動し、出力電圧が所定の電圧である（正常状態）場合、電流モニタ用増幅器から出力される電圧の中心値（オフセット値）と、電流モニタ用増幅器から出力される電圧の変動値（リップル値）の１／２との和となる。
【００１３】
電流モニタ用増幅器がクランプされる最大出力電圧は、電流制限がかかるときに抵抗の両端間に印加される電圧と電流モニタ用増幅器の増幅率との積となる。ピーク出力電流は、エラーアンプがクランプされる最大出力電圧と電流モニタ用増幅器から出力される電圧の変動値（リップル値）の１／２との差を電流モニタ用増幅器の増幅率と抵抗の抵抗値との積で除算したものとなる。
【００１４】
例えば、出力電圧が３．３Ｖであり、出力電流の中心値（オフセット値）が１Ａであり、出力電流の変動値（リップル値）が１００ｍＡであり、電流モニタ用増幅器の増幅率が１０倍であり、抵抗の抵抗値が１０ｍΩであり、抵抗の両端間に印加される電圧が５００ｍＶのときに電流制限がかかる場合、電流モニタ用増幅器に入力される電圧の中心値（オフセット値）は、１［Ａ］×１０［ｍΩ］＝１０ｍＶとなり、電流モニタ用増幅器に入力される電圧の変動値（リップル値）は、１００［ｍＡ］×１０［ｍΩ］＝１ｍＶとなる。したがって、電流モニタ用増幅器には、１０ｍＶの中心値（オフセット値）及び１ｍＶの変動値（リップル値）を有する三角波が入力される。
【００１５】
電流モニタ用増幅器から出力される電圧の中心値（オフセット値）は、１０［ｍＶ］×１０［倍］＝１００ｍＶとなり、電流モニタ用増幅器から出力される電圧の変動値（リップル値）は、１［ｍＶ］×１０［倍］＝１０ｍＶとなる。したがって、電流モニタ用増幅器は、１００ｍＶの中心値（オフセット値）及び１０ｍＶの変動値（リップル値）を有する三角波を出力する。
【００１６】
出力電圧が所定の電圧である（正常状態）場合にエラーアンプから出力される電圧は、１００［ｍＶ］×（１０［ｍＶ］／２）＝１０５ｍＶとなり、エラーアンプがクランプされる最大出力電圧は、５０［ｍＶ］×１０［倍］＝５００ｍＶとなる。ピーク出力電流値は、｛５００［ｍＶ］−（１０［ｍＶ］／２）｝／（１０［倍］×１０［ｍＶ］）＝４．９５Ａとなる。
【００１７】
また、第１及び第２の電源部を有する電源回路も提案されており、第１及び第２の電源部はそれぞれ、主スイッチング素子と、同期整流用スイッチング素子と、コンデンサと、コイルと、抵抗と、制御ＩＣと、出力部と、を有し、第１及び第２の電源部の制御ＩＣはそれぞれ、エラーアンプと、電流モニタ用増幅器と、クランプ回路と、コンパレータと、制御回路と、を有する。
【先行技術文献】
【特許文献】
【００１８】
【特許文献１】特開２００２−２２３５６２号公報
【特許文献２】特開２００８−２９５１５８号公報
【発明の概要】
【発明が解決しようとする課題】
【００１９】
図３は、電源電圧低下後に電源電圧が正常電圧に復帰するときに生じる第１及び第２の電源部を有する従来の電源回路の起動不良を説明するための図である。図３において、実線ｇは、直流電源によって生成される直流電圧の電圧値の変動を示し、実線ｈは、第１の電源部の出力電圧の変動を示し、実線ｉは、第２の電源部の出力電圧値の変動を示す。
【００２０】
直流電源によって生成される直流電圧の電圧値が、ノイズの発生などにより時間ｔ１１から時間ｔ１２に遷移する間に正常な電圧値Ｖ１（例えば、１３Ｖ）から第１及び第２の電源部の制御ＩＣが停止する電圧値Ｖ２（例えば、３Ｖ）まで一瞬低下すると、第１及び第２の電源部が、時間ｔ１２から時間ｔ１３に遷移する間に停止する。したがって、第１の電源部の出力電圧値は、正常な電圧値Ｖ３（例えば、３．３Ｖ）から所定の電圧値Ｖ４（例えば、０Ｖ）まで低下し、第２の電源部の出力電圧値は、正常な電圧値Ｖ５（例えば、１．８Ｖ）から所定の電圧値Ｖ４（例えば、０Ｖ）まで低下する。
【００２１】
出力電流値が、第１の電源部の制御ＩＣによって設定されたフの字特性の過電流保護特性に基づいて規定されたピーク出力電流値よって制限される場合、図２に示すように、所定の電圧範囲（この場合、０．５〜２．０Ｖ）において、出力電流値が第１の電源部の出力部に接続された負荷を起動するのに必要な電流値より小さくなることがある。例えば、出力電圧値が１Ｖである場合、第１の電源部の出力部に接続された負荷を起動するのに必要な電流が約３．５Ａであるのに対して、出力電流値は約２．５Ａに制限される。
【００２２】
したがって、直流電源によって生成される直流電圧の電圧値が、時間ｔ１４から時間ｔ１５に遷移する間に電圧値Ｖ２から電圧値Ｖ１に復帰したとしても、第１の電源部の出力電圧値は、時間ｔ１４と時間ｔ１５の間の時間ｔ１６においていずれも所定の電圧値Ｖ６（この場合、０．５Ｖ）まで上昇した後、電圧値Ｖ６のままとなり、正常な電圧値Ｖ３に復帰しなくなる。同様に、第２の電源部の出力電圧値も、時間ｔ１４と時間ｔ１５の間の時間ｔ１６においていずれも所定の電圧値Ｖ６（この場合、０．５Ｖ）まで上昇した後、電圧値Ｖ６のままとなり、正常な電圧値Ｖ５に復帰しなくなる。第１の電源部の出力電圧値及び第２の電源部の出力電圧値が正常な電圧値Ｖ３，Ｖ５に復帰しなくなることによって、第１及び第２の電源部の起動不良が生じる。
【００２３】
直流電源によって生成される直流電圧の電圧値が正常な電圧値に復帰しても電源部の出力電圧値が正常な電圧値に復帰しない現象は、出力電流値がフの字特性の過電流保護特性に基づいて規定されたピーク出力電流値よって制限される単一の電源部を有する電源回路でも生じうる。
【００２４】
本発明の目的は、出力電圧値と出力電流値との関係を規定する過電流保護特性に基づいて設定されたピーク出力電流値以下に出力電流値を制限する電源回路において、電源回路の入力電圧値が正常な電圧値に復帰したときに、電源回路の出力電圧値を正常な電圧値に復帰することができる電源回路を提供することである。
【課題を解決するための手段】
【００２５】
本発明による電源回路は、入力される直流電圧を任意の直流電圧に変換して出力し、出力電圧値と出力電流値との関係を規定する過電流保護特性に基づいて設定されたピーク出力電流値以下に出力電流値を制限する第１の電源部と、前記第１の電源部の入力電圧又は出力電圧の変化量が所定の値より大きい場合に、前記ピーク出力電流値を一定時間だけ増大するピーク出力電流値増大回路と、を備えたことを特徴とする。
【発明の効果】
【００２６】
本発明によれば、第１の電源部の入力電圧又は出力電圧の変化量が所定の値より大きい場合にピーク出力電流値を一定時間だけ増大することによって、第１の電源に流れる電流の電流値を、第１の電源に接続された負荷を駆動するのに必要な電流の電流値よりも大きくすることができるので、電源回路の入力電圧値が正常な電圧値に復帰したときに、電源回路の出力電圧値を正常な電圧値に復帰することができる。
【図面の簡単な説明】
【００２７】
【図１】従来の電源回路の動作を説明するための図である。
【図２】従来の電源回路の過電流保護特性及び従来の電源回路に接続される負荷の負荷特性を示すグラフである。
【図３】電源電圧低下後に電源電圧が正常電圧に復帰するときに生じる第１及び第２の電源部を有する従来の電源回路の起動不良を説明するための図である。
【図４】本発明による電源回路の第１の実施の形態の回路図である。
【図５】図４の電源回路の動作を説明するための図である。
【図６】図４の電源回路の過電流保護特性の変化及び図４の電源回路に接続される負荷の負荷特性を示すグラフである。
【図７】本発明による電源回路の第２の実施の形態の回路図である。
【図８】本発明による電源回路の第３の実施の形態の回路図である。
【図９】図８の電源回路の動作を説明するための図である。
【図１０】本発明による電源回路の第４の実施の形態の回路図である。
【図１１】本発明による電源回路の第５の実施の形態の回路図である。
【図１２】本発明による電源回路の第６の実施の形態の回路図である。
【発明を実施するための形態】
【００２８】
以下、本発明による電源回路の実施の形態を、図面を参照して詳細に説明する。なお、本発明の技術的範囲はこれらの実施の形態に限定されず、特許請求の範囲に記載された発明とその均等物に及ぶ。また、本発明の趣旨を逸脱しない範囲において種々の変更を付加した形態で実施することも可能である。
【００２９】
図４は、本発明による電源回路の第１の実施の形態の回路図である。本発明による電源回路を、降圧回路、昇圧回路又は降昇圧回路として使用することができる。なお、図１に示す電源回路１は、車両制御装置のような電子機器２に備えられており、直流電源３から入力される直流電圧（例えば、１３Ｖ）を任意の直流電圧（例えば、３．３Ｖ）に変換して出力する第１の電源部としての電源部４と、電源部４から出力された直流電圧が入力され、入力される直流電圧を任意の直流電圧（例えば、１．８Ｖ）に変換して出力する第２の電源部としての電源部５と、ピーク出力電流値増大回路６と、を有する。
【００３０】
電源部４は、主スイッチング素子７と、同期整流用スイッチング素子８と、容量製素子として機能するコンデンサ９と、誘導性素子として機能するコイル１０と、抵抗１１，１２，１３と、制御ＩＣ１４と、出力部１５と、を有する。
【００３１】
主スイッチング素子７の一端は、直流電源３が接続され、主スイッチング素子７の他端は、同期整流用スイッチング素子８の一端に接続され、同期整流用スイッチング素子８の他端は、所定の電位のポイント（この場合、アース）に接続される。
【００３２】
コンデンサ９の一端は、出力部１５に接続され、コンデンサ９の他端は、所定の電位のポイント（この場合、アース）に接続される。コイル１０の一端は、主スイッチング素子７の他端と同期整流用スイッチング素子８の一端との接続点に接続され、コイル１０の他端は、抵抗１１を介してコンデンサ９の一端に接続される。このような接続によって、コイル１０は、主スイッチング素子７に流れる電流に応じたエネルギーを蓄積し、コンデンサ９は、コイル１０に流れる電流によって充電される。抵抗１２の一端は、抵抗１１の一端とコンデンサ９の一端とを結ぶラインに接続され、抵抗１２の他端は、抵抗１３の一端に接続され、抵抗１３の他端は、所定の電位のポイント（この場合、アース）に接続される。出力部１５は、出力直流電圧をモータ、ＬＥＤ、マイコン等の負荷に出力する。
【００３３】
制御ＩＣ１４は、増幅器１６と、第１の増幅率（例えば、１０倍）と第１の増幅率未満の第２の増幅率（例えば、５倍）との間で増幅率を切り替えることができる増幅器１７と、クランプ回路１８と、コンパレータ１９と、制御回路２０と、端子２１，２２，２３，２４，２５，２６を有する半導体基板２７と、を有する。
【００３４】
増幅器１６は、エラーアンプとして機能し、抵抗１２の他端と抵抗１３の一端との間の接続点に接続され、電源部４の出力電圧を分圧した電圧が印加される反転入力部と、基準電圧が入力される非反転入力部と、を有する。これによって、増幅器１６は、出力電圧と基準電圧とを常に比較しながらこれらの誤差値を増幅し、増幅された誤差値をコンパレータ１９の一方の入力部に入力する。
【００３５】
増幅器１７は、コイル１０に流れる電流をモニタするために抵抗１１の両端にそれぞれ接続した第１及び第２の入力部を有し、コイル１０に流れる電流の電流値に対応する抵抗１１の両端間の電圧を増幅してコンパレータ１９の他方の入力部に入力する。
【００３６】
クランプ回路１８は、抵抗１１の両端間の電圧が所定の電圧に到達すると、出力電圧値と出力電流値との関係で規定される過電流保護特性に基づいて設定されたピーク出力電流値以下に電源部４の出力電流値を制限するために、増幅器１６の出力のクランプ電圧を設定する。
【００３７】
コンパレータ１９は、増幅器１６から入力される増幅された誤差値と、増幅器１７から入力される増幅された電流値とを比較し、比較結果を制御回路２０に出力する。制御回路２０は、クロック発生器（図示せず）からクロックパルスを受け取る。
【００３８】
端子２１は、制御ＩＣ１４を駆動するために直流電源３に接続される。端子２２，２３は、制御回路２０が主スイッチング素子７及び同期整流用スイッチング素子８を相補的にオンオフするために主スイッチング素子７及び同期整流用スイッチング素子８にそれぞれ接続される。端子２４，２５は、増幅器１７がコイル１０に流れる電流をモニタするために抵抗１１の両端にそれぞれ接続される。端子２６は、電源部４の出力電圧を分圧した電圧を増幅器１６の反転入力部に印加するために抵抗１２の他端と抵抗１３の一端との間の接続点に接続される。また、増幅器１６，１７、クランプ回路１８、コンパレータ１９及び制御回路２０は、半導体基板２７上に集積されている。
【００３９】
電源部５は、主スイッチング素子２８と、同期整流用スイッチング素子２９と、コンデンサ３０と、コイル３１と、抵抗３２，３３，３４と、制御ＩＣ３５と、出力部３６と、を有する。なお、主スイッチング素子２８は、一端が電源部４の出力側に接続されている点を除いて主スイッチング素子７と同一構成を有し、同期整流用スイッチング素子２９、コンデンサ３０、コイル３１、抵抗３２，３３，３４及び出力部３６は、同期整流用スイッチング素子８、コンデンサ９、コイル１０、抵抗１１，１２，１３及び出力部１５と同一構成を有するので、これらの説明を省略する。
【００４０】
制御ＩＣ３５は、増幅器３７，３８と、クランプ回路３９と、コンパレータ４０と、制御回路４１と、端子４２，４３，４４，４５，４６，４７を有する半導体基板４８と、を有する。増幅器３７、クランプ回路３９、コンパレータ４０、制御回路４１、端子４２，４３，４４，４５，４６，４７及び半導体基板４８は、増幅器１６、クランプ回路１８、コンパレータ１９、制御回路２０、端子２１，２２，２３，２４，２５，２６，２７，２８及び半導体基板２７と同一構成を有し、増幅器３８は、第１の増幅率（例えば、１０倍）と第１の増幅率未満の第２の増幅率（例えば、５倍）との間で増幅率を切り替える代わりに一定の増幅率（例えば、１０倍）を有する点を除いては増幅器１７と同一構成を有するので、これらの説明を省略する。
【００４１】
ピーク出力電流値増大回路６は、電源部３の入力電圧の変動値が所定の値より大きいか否かを検知する。本実施の形態では、ピーク出力電流値増大回路６は、入力電圧が正常状態の電圧値（例えば、１３Ｖ）から制御ＩＣ１４の停止電圧値（例えば、３Ｖ）まで低下したことを検出したか否か又は入力電圧が制御ＩＣ１４の停止電圧値（例えば、３Ｖ）から正常状態の電圧値（例えば、１３Ｖ）まで復帰したか否かを検知する。
【００４２】
ピーク出力電流値増大回路６は、電源部４の入力電圧の変化量が所定の値より大きいことを検知した場合、出力電流値が出力部１５に接続された負荷の起動に必要な電流値より大きくなるように、増幅器１７の増幅率を一定時間（例えば、電源部４が停止してから復帰する途中までの時間以上の時間）減少させる。
【００４３】
本実施の形態では、ピーク出力電流値増大回路６は、電源部４の入力電圧の変化量が所定の値より大きいことを検知した場合、増幅器１７の増幅率を一定時間第１の増幅率（例えば、１０倍）から第２の増幅率（例えば、５倍）に切り替える。
【００４４】
また、本実施の形態では、ピーク出力電流値増大回路６は、抵抗４９，５０と、コンパレータ５１と、タイマ制御回路５２と、を有する。抵抗４９の一端は、直流電源３に接続され、抵抗４９の他端は、抵抗５０の一端に接続され、抵抗５０の他端は、所定の電位のポイント（この場合、アース）に接続される。コンパレータ５１は、抵抗４９の他端と抵抗５０の一端との間の接続点に接続された第１の入力部と、基準電圧が入力される第２の入力部と、タイマ制御回路５２に接続された出力部と、を有する。タイマ制御回路５２は、コンパレータ５１の出力結果に応じて、増幅器１７の増幅率を一定時間第１の増幅率から第２の増幅率に切り替える。
【００４５】
なお、ピーク出力電流値増大回路６が抵抗４９，５０、コンパレータ５１及びタイマ制御回路５２を有する構成について説明したが、ピーク出力電流値増大回路６の構成はこれに限定されるものではない。
【００４６】
図５は、図４の電源回路の動作を説明するための図である。図５において、実線ｊは、図４の直流電源３によって生成される直流電圧の電圧値の変動を示し、破線ｋは、図４の増幅器１６がクランプされる最大出力電圧を示し、実線ｌは、図１の増幅器１７が出力する増幅された電圧値を示す。
【００４７】
直流電源３によって生成される直流電圧の電圧値が、ノイズの発生などにより時間ｔ２１から時間ｔ２２に遷移する間に正常な電圧値Ｖ１（例えば、１３Ｖ）から制御ＩＣ１４が停止する電圧値Ｖ２（例えば、３Ｖ）まで一瞬低下し、電圧値Ｖ２の状態が時間ｔ２２から時間ｔ２３まで続いた後に時間ｔ２４から時間ｔ２５に遷移する間に電圧値Ｖ２から電圧値Ｖ１に復帰すると、ピーク出力電流値増大回路６は、時間ｔ２３から時間ｔ２５の間の時間だけ増幅器１７の増幅率を一定時間だけ第１の増幅率（例えば、１０倍）から第２の増幅率（例えば、５倍）に切り替える。時間ｔ２３から時間ｔ２５の間の時間は、電源部３の出力電圧値が０Ｖから３．３Ｖに復帰するまでの時間に対応し、例えば、数ミリ秒に設定される。なお、増幅器１７の増幅率を一定時間だけ第１の増幅率（例えば、１０倍）から第２の増幅率（例えば、５倍）に切り替える時間を、時間ｔ２２とｔ２５の間の時間（電源部３の出力電圧値が３．３Ｖから０Ｖに低下した後に３．３Ｖに復帰するまでの時間）にすることもできる。
【００４８】
上述したように、ピーク出力電流値は、増幅器１６がクランプされる最大出力電圧と増幅器１７から出力される電圧の変動値（リップル値）の１／２との差を増幅器１７の増幅率と抵抗１１の抵抗値との積で除算したものとなる。したがって、ピーク出力電流値は、増幅率１７の増幅率が減少するに従って増大する。なお、出力電流値がフの字特性に従って制限される場合、出力電圧値が零のときの出力電流値（出力短絡電流値）も、増幅器１７の増幅率が減少するに従って増大する。
【００４９】
例えば、出力電圧が３．３Ｖであり、出力電流の中心値（オフセット値）が１Ａであり、出力電流の変動値（リップル値）が１００ｍＡであり、増幅器１７の増幅率が１０倍から５倍に切り替えられ、抵抗１１の抵抗値が１０ｍΩであり、抵抗１１の両端間に印加される電圧が５００ｍＶのときに電流制限がかかる場合には、増幅器１７に入力される電圧の中心値（オフセット値）は、１［Ａ］×１０［ｍΩ］＝１０［ｍＶ］となり、増幅器１７に入力される電圧の変動値（リップル値）は、１００［ｍＡ］×１０［ｍΩ］＝１［ｍＶ］となる。したがって、増幅器１７には、１０ｍＶの中心値（オフセット値）及び１ｍＶの変動値（リップル値）を有する三角波が入力される。
【００５０】
また、増幅器１７の増幅率が５倍に切り替えられたときに増幅器１６から出力される電圧の中心値（オフセット値）は、１０［ｍＶ］×５［倍］＝５０［ｍＶ］となり、増幅器１７から出力される電圧の変動値（リップル値）は、１［ｍＶ］×５［倍］＝５［ｍＶ］となる。したがって、増幅器１７は、５０ｍＶの中心値（オフセット値）及び５ｍＶの変動値（リップル値）を有する三角波を出力する。
【００５１】
また、出力電圧が所定の電圧である（正常状態）場合の増幅器１６から出力される電圧は、５０［ｍＶ］×（５［ｍＶ］／２）＝５２．５［ｍＶ］となる。増幅器１６がクランプされる最大出力電圧は、増幅器１７の増幅率が１０倍のときに増幅器１６側で設定されているので、５０［ｍＶ］×１０［倍］＝５００ｍＶのままである。
【００５２】
さらに、ピーク出力電流値は、｛５００［ｍＶ］−（５［ｍＶ］／２）｝／（５［倍］×１０［ｍＶ］）＝９．９５Ａとなる。したがって、ピーク出力電流値は、増幅器１７の増幅率を１０倍から５倍に変更することによって、４．９５Ａから９．９５Ａに増加することができる。
【００５３】
図６は、図４の電源回路の過電流保護特性の変化及び図４の電源回路に接続される負荷の負荷特性を示すグラフである。図６において、電圧［Ｖ］を縦軸にプロットし、電流［Ａ］を横軸にプロットし、実線ｍは、増幅器１７の増幅率が１０倍のときに制御ＩＣ１４で設定される電源部３の過電流保護特性を示し、破線ｎは、増幅器１７の増幅率が５倍のときに制御ＩＣ１４で設定される電源部３の過電流保護特性を示し、実線ｏは、出力部１５に接続される負荷の負荷特性を示す。
【００５４】
図６に示すように、増幅器１７の増幅率を１０倍から５倍に切り替えることによって、ピーク出力電流値だけでなく出力電圧値が零のときの出力電流値（出力短絡電流値）も増大し、０〜３．３Ｖの範囲において、出力電流値は、出力部１５に接続された負荷の起動に必要な電流値より大きくなる。例えば、出力電圧値が１Ｖである場合、出力部１５に接続された負荷を起動するのに必要な電流が約３．５Ａであるのに対して、出力電流値は約５Ａとなる。
【００５５】
本実施の形態によれば、電源部４の入力電圧の変化量が所定の値より大きい場合に、出力電流値が出力部１５に接続された負荷の起動に必要な電流値より大きくなるように、増幅器１７の増幅率を一定時間だけ減少するので、電源回路１の入力電圧が正常な電圧値に復帰したときに、電源回路１の出力電圧を正常な電圧値に復帰することができる。
【００５６】
本実施の形態において、増幅器３７の増幅率を可変とし、電源部５に入力される直流電圧の変化量が所定の値より大きいことを検知した場合、出力電流値が出力部３６に接続された負荷の起動に必要な電流値より大きくなるように、ピーク出力電流値増大回路６又は別のピーク出力電流値増大回路が増幅器３７の増幅率を一定時間減少させてもよい。また、電源部５を省略することもできる。
【００５７】
本実施の形態において、主スイッチング素子７，２８及び同期整流用スイッチング素子８，２９を、電界効果トランジスタ（ＦＥＴ）及びそれに並列接続したダイオードによって構成しているが、これら主スイッチング素子７，２８及び同期整流用スイッチング素子８，２９を他の半導体素子によって構成することもできる。
【００５８】
本実施の形態において、ピーク出力電流値増大回路６を、増幅器１６，１７、クランプ回路１８、コンパレータ１９及び制御回路２０とともに半導体基板２７上に集積することもできる。これら増幅器１６，１７、クランプ回路１８、コンパレータ１９、制御回路２７及びピーク出力電流値増大回路６を半導体基板２７上に集積することによって、電源回路１を小型かつ高性能で実現することができる。
【００５９】
本実施の形態において、増幅器１７の増幅率を減少させる時間を、電源３が停止してから復帰する途中までの時間以上の時間とすることもできる。なお、電源３が停止してから復帰する途中までの時間は、出力電圧値が０Ｖから約２Ｖに上昇するまでの時間（図６の実線ｍで示すフの字特性に従って決定される出力電流値が出力部１５に接続された負荷を駆動できる電流値（約４Ａ）に等しくなるまでの時間）に対応する。
【００６０】
図７は、本発明による電源回路の第２の実施の形態の回路図である。なお、図７において、図４と共通する部分に同一符号を付す。図７に示す電源回路６１は、車両制御装置のような電子機器６２に備えられており、電源部４と、電源部５と、ピーク出力電流値増大回路６３と、を有する。電源部４は、図４に示す電源部４と同一構成を有するので、その説明を省略する。電源部５は、図４に示す電源部５と同一構成を有するので、その説明を省略する。
【００６１】
ピーク出力電流値増大回路６３は、出力電流値が出力部１５に接続された負荷の起動に必要な電流値より大きくなるように、増幅器１７の増幅率を一定時間（例えば、電源部４が停止してから復帰する途中までの時間以上の時間）減少させる。
【００６２】
本実施の形態では、ピーク出力電流値増大回路６３は、電源部４の出力電圧の変化量が所定の値より大きいことを検知した場合、増幅器１７の増幅率を一定時間第１の増幅率（例えば、１０倍）から第２の増幅率（例えば、５倍）に切り替える。
【００６３】
また、本実施の形態では、ピーク出力電流値増大回路６３は、抵抗６４，６５と、コンパレータ６６と、タイマ制御回路６７と、を有する。抵抗６４の一端は、電源部４の出力側に接続され、抵抗６４の他端は、抵抗６５の一端に接続され、抵抗６５の他端は、所定の電位のポイント（この場合、アース）に接続される。コンパレータ６６は、抵抗６４の他端と抵抗６５の一端との間の接続点に接続された第１の入力部と、基準電圧が入力される第２の入力部と、タイマ制御回路６７に接続された出力部と、を有する。タイマ制御回路６７は、コンパレータ６６の出力結果に応じて、増幅器１７の増幅率を一定時間第１の増幅率から第２の増幅率に切り替える。
【００６４】
なお、ピーク出力電流値増大回路６３が抵抗６４，６５、コンパレータ６６及びタイマ制御回路６７を有する構成について説明したが、ピーク出力電流値増大回路６３の構成はこれに限定されるものではない。
【００６５】
本実施の形態によれば、電源部４の出力電圧の変化量が所定の値より大きい場合に、出力電流値が出力部１５に接続された負荷の起動に必要な電流値より大きくなるように、増幅器１７の増幅率を一定時間だけ減少するので、電源回路６１の入力電圧が正常な電圧値に復帰したときに、電源回路６１の出力電圧を正常な電圧値に復帰することができる。
【００６６】
図８は、本発明による電源回路の第３の実施の形態の回路図である。なお、図８において、図４又は図７と共通する部分に同一符号を付す。図８に示す電源回路７１は、車両制御装置のような電子機器７２に備えられており、電源部７３と、電源部５と、ピーク出力電流値増大回路７４と、を有する。電源部７３は、制御ＩＣ１４の代わりに制御ＩＣ７５を有し、制御ＩＣ７５が増幅器１７の代わりに一定の増幅率を有する増幅器７６を有する点を除いて、図４又は図７に示す電源部４と同一構成を有するので、その説明を省略する。電源部５は、図４又は図７に示す電源部５と同一構成を有するので、その説明を省略する。
【００６７】
ピーク出力電流値増大回路７４は、電源部７３の入力電圧の変化量が所定の値より大きいことを検知した場合、出力電流値が電源出力部１５に接続された負荷の起動に必要な電流値より大きくなるように、クランプ回路１８が設定する増幅器１６の出力のクランプ電圧を一定時間（例えば、電源部７３が停止してから復帰する途中までの時間以上の時間）だけ増大する。
【００６８】
本実施の形態では、ピーク出力電流値増大回路７４は、電源部７３の入力電圧の変化量が所定の値より大きいことを検知した場合、クランプ回路１８が設定する増幅器１６の出力のクランプ電圧を一定時間だけ増大する（例えば、クランプ回路１８が設定する増幅器１６の出力のクランプ電圧を５００ｍＶから１Ｖに増大する。）。
【００６９】
また、本実施の形態では、ピーク出力電流値増大回路７４は、抵抗７７，７８と、コンパレータ７９と、タイマ制御回路８０と、を有する。抵抗７７の一端は、直流電源３に接続され、抵抗７７の他端は、抵抗７８の一端に接続され、抵抗７８の他端は、所定の電位のポイント（この場合、アース）に接続される。コンパレータ７９は、抵抗７７の他端と抵抗７８の一端との間の接続点に接続された第１の入力部と、基準電圧が入力される第２の入力部と、タイマ制御回路８０に接続された出力部と、を有する。タイマ制御回路８０は、コンパレータ７９の出力結果に応じて、クランプ回路１８が設定する増幅器１６の出力のクランプ電圧を一定時間だけ増大する。
【００７０】
なお、ピーク出力電流値増大回路７４が抵抗７７，７８、コンパレータ７９及びタイマ制御回路８０を有する構成について説明したが、ピーク出力電流値増大回路７４の構成はこれに限定されるものではない。
【００７１】
図９は、図８の電源回路の動作を説明するための図である。図９において、実線ｐは、図８の直流電源３によって生成される直流電圧の電圧値の変動を示し、破線ｑは、図８のクランプ回路１８が設定する増幅器１６の出力のクランプ電圧を示し、実線ｒは、図８の増幅器７６が出力する増幅された電圧値を示す。
【００７２】
直流電源３によって生成される直流電圧の電圧値が、ノイズの発生などにより時間ｔ３１から時間ｔ３２に遷移する間に正常な電圧値Ｖ１（例えば、１３Ｖ）から制御ＩＣ７５が停止する電圧値Ｖ２（例えば、３Ｖ）まで一瞬低下し、電圧値Ｖ２の状態が時間ｔ３２から時間ｔ３３まで続いた後に時間ｔ３４から時間ｔ３５に遷移する間に電圧値Ｖ２から電圧値Ｖ１に復帰する場合、ピーク出力電流値増大回路７４は、時間ｔ３３から時間ｔ３４に遷移する間に、クランプ回路１８が設定する増幅器１６の出力のクランプ電圧を第１の値（例えば、５００ｍＶ）から第２の値（例えば、１Ｖ）まで線形的に増大する。
【００７３】
その後、ピーク出力電流値増大回路７４は、時間ｔ３４から時間ｔ３５の間の時間だけクランプ回路１８が設定する増幅器１６の出力のクランプ電圧を第２の値に保持し、時間ｔ３５から時間ｔ３６まで遷移する間に、クランプ回路１８が設定する増幅器１６の出力のクランプ電圧を第２の値から第１の値まで線形的に減少し、時間ｔ３６以後、クランプ回路１８が設定する増幅器１６の出力のクランプ電圧を第１の値に保持する。
【００７４】
時間ｔ３３から時間ｔ３６の間の時間は、電源部７３の出力電圧が０Ｖから３．３Ｖに復帰するまでの時間に対応し、例えば、数ミリ秒に設定される。なお、クランプ回路１８が設定する増幅器１６の出力のクランプ電圧を第１の値（例えば、５００ｍＶ）から第２の値（例えば、１Ｖ）まで線形的に増大する時間を、時間ｔ３２とｔ３５の間の時間（電源部７３の出力電圧値が３．３Ｖから０Ｖに低下した後に３．３Ｖに復帰するまでの時間）にすることもできる。
【００７５】
上述したように、ピーク出力電流値は、増幅器１６がクランプされる最大出力電圧と増幅器７６から出力される電圧の変動値（リップル値）の１／２との差を増幅器７６の増幅率と抵抗１１の抵抗値との積で除算したものとなる。したがって、ピーク出力電流値は、増幅器１６がクランプされる最大出力電圧が増大するに従って増大する。なお、出力電流値がフの字特性に従って制限される場合、出力電圧値が零のときの出力電流値（出力短絡電流値）も、増幅器７６の増幅率が減少するに従って増大する。
【００７６】
例えば、出力電圧が３．３Ｖであり、出力電流の中心値（オフセット値）が１Ａであり、出力電流の変動値（リップル値）が１００ｍＡであり、増幅器７６の増幅率が１０倍であり、抵抗１１の抵抗値が１０ｍΩであり、クランプ回路１８が設定する増幅器１６の出力のクランプ電圧を一定時間だけ５００ｍＶから１Ｖに増大する場合、ピーク出力電流値は、｛１［Ｖ］−（１０［ｍＶ］／２）｝／（１０［倍］×１０［ｍＶ］）＝９．９５Ａとなる。したがって、ピーク出力電流値は、クランプ回路１８が設定する増幅器１６の出力のクランプ電圧を５００ｍＶから１Ｖに変更することによって、４．９５Ａから９．９５Ａに増加することができる。
【００７７】
したがって、クランプ回路１８が設定する増幅器１６の出力のクランプ電圧を５００ｍＶから１Ｖに変更することによって、出力電流値は、破線ｎで示すようなフの字特性に従って決定される。
【００７８】
本実施の形態によれば、電源部７３の入力電圧の変化量が所定の値より大きい場合に、出力電流値が出力部１５に接続された負荷の起動に必要な電流値より大きくなるように、クランプ回路１８が設定する増幅器１６の出力のクランプ電圧を一定時間だけ増大するので、電源回路７１の入力電圧が正常な電圧値に復帰したときに、電源回路７１の出力電圧を正常な電圧値に復帰することができる。
【００７９】
図１０は、本発明による電源回路の第４の実施の形態の回路図である。なお、図１０において、図４、図７又は図８と共通する部分に同一符号を付す。図１０に示す電源回路８１は、車両制御装置のような電子機器８２に備えられており、電源部７３と、電源部５と、ピーク出力電流値増大回路８３と、を有する。電源部７３は、図８に示す電源部７３と同一構成を有するので、その説明を省略する。電源部５は、図４、図７又は図８に示す電源部５と同一構成を有するので、その説明を省略する。
【００８０】
ピーク出力電流値増大回路８３は、電源部７３の出力電圧の変化量が所定の値より大きいことを検知した場合、出力電流値が電源出力部１５に接続された負荷の起動に必要な電流値より大きくなるように、クランプ回路１８が設定する増幅器１６の出力のクランプ電圧を一定時間（例えば、電源部７３が停止してから復帰する途中までの時間以上の時間）だけ増大する。
【００８１】
本実施の形態では、ピーク出力電流値増大回路８３は、電源部７３の入力電圧の変化量が所定の値より大きいことを検知した場合、クランプ回路１８が設定する増幅器１６の出力のクランプ電圧を一定時間だけ増大する（例えば、最大出力電圧を５００ｍＶから１Ｖに増大する。）。
【００８２】
また、本実施の形態では、ピーク出力電流値増大回路８３は、抵抗８４，８５と、コンパレータ８６と、タイマ制御回路８７と、を有する。抵抗８４の一端は、電源部７３の出力側に接続され、抵抗８４の他端は、抵抗８５の一端に接続され、抵抗８５の他端は、所定の電位のポイント（この場合、アース）に接続される。コンパレータ８６は、抵抗８４の他端と抵抗８５の一端との間の接続点に接続された第１の入力部と、基準電圧が入力される第２の入力部と、タイマ制御回路８７に接続された出力部と、を有する。タイマ制御回路８７は、コンパレータ８６の出力結果に応じて、クランプ回路１８が設定する増幅器１６の出力のクランプ電圧を一定時間だけ増大する。
【００８３】
なお、ピーク出力電流値増大回路８３が抵抗８４，８５、コンパレータ８６及びタイマ制御回路８７を有する構成について説明したが、ピーク出力電流値増大回路８３の構成はこれに限定されるものではない。
【００８４】
本実施の形態によれば、電源部７３の出力電圧の変化量が所定の値より大きい場合に、出力電流値が出力部１５に接続された負荷の起動に必要な電流値より大きくなるように、クランプ回路１８が設定する増幅器１６の出力のクランプ電圧を一定時間だけ増大するので、電源回路８１の入力電圧値が正常な電圧値に復帰したときに、電源回路８１の出力電圧値を正常な電圧値に復帰することができる。
【００８５】
図１１は、本発明による電源回路の第５の実施の形態の回路図である。図１１に示す電源回路９１は、車両制御装置のような電子機器９２に備えられており、直流電源９３から入力される直流電圧（例えば、１３Ｖ）を任意の直流電圧（例えば、３．３Ｖ）に変換して出力する電源部９４と、ピーク出力電流値増大回路９５と、を有する。
【００８６】
電源部９４は、主スイッチング素子９６と、同期整流用スイッチング素子９７と、コンデンサ９８と、コイル９９と、抵抗１００，１０１，１０２と、制御ＩＣ１０３と、出力部１０４と、を有する。なお、主スイッチング素子９６、同期整流用スイッチング素子９７、コンデンサ９８、コイル９９、抵抗１００，１０１，１０２及び出力部１０４は、図４、図７、図８又は図１０に示す主スイッチング素子７、同期整流用スイッチング素子８、コンデンサ９、コイル１０、抵抗１１，１２，１３及び出力部１５と同一構成を有するので、これらの説明を省略する。
【００８７】
制御ＩＣ１０３は、増幅器１０５，１０６と、クランプ回路１０７と、コンパレータ１０８と、制御回路１０９と、端子１１０，１１１，１１２，１１３，１１４，１１５を有する半導体基板１１６と、を有する。増幅器１０５、コンパレータ１０８、制御回路１０９及び端子１１０，１１１，１１２，１１３は、図４、図７、図８又は図１０に示す増幅器１６、コンパレータ１９、制御回路２０及び端子２１，２４，２５，２６と同一構成を有するので、これらの説明を省略する。
【００８８】
増幅器１０６は、電源回路９１に流される電流をモニタするための抵抗１１７の両端にそれぞれ接続した第１及び第２の入力部を有し、抵抗１１７の両端間の電圧を増幅してコンパレータ１０８の他方の入力部に入力する。
【００８９】
クランプ回路１０７は、抵抗１１８と、電流源１１９と、コンパレータ１２０と、トランジスタ１２１と、を有する。抵抗１１８は、クランプ回路１０７が設定する増幅器１０５の出力のクランプ電圧を決定する基準電位（電流しきい値）を生成するための基準電位生成用抵抗であり、一端が抵抗１１７と主スイッチング素子９６との接続点に接続され、他端が電流源１１９に接続される。電流源１１９は、抵抗１１８に可変の電流値の電流を流す電流源である。抵抗１１８において、電流源１１９による電流によって電圧降下が生じ、このように電圧降下した電位が基準電位となる。
【００９０】
コンパレータ１２０は、抵抗１１７と直流電源９３との接続点の電位と基準電位とを比較し、抵抗１１７と直流電源９３との接続点の電位が基準電位より低い場合には、トランジスタ１２１をオンするための電圧を出力する。トランジスタ１２１は、増幅器１０５の出力をクランプ電圧に保持するためのＮＰＮ型トランジスタであり、ベースがコンパレータ１２０の出力部に接続され、コレクタが増幅器１０５の出力部とコンパレータ１０８の一方の入力部との接続点に接続され、エミッタが所定の電位のポイント（この場合、アース）に接続される。
【００９１】
端子１１４，１１５は、電源回路９１に流される電流をモニタするとともにコンパレータ１２０が抵抗１１７と直流電源９３との接続点の電位と基準電位とを比較するために、抵抗１１７の両端にそれぞれ接続される。
【００９２】
本実施の形態では、増幅器１０５，１０６、クランプ回路１０７、コンパレータ１０８及び制御回路１０９が半導体基板１１６上に集積されているが、ピーク出力電流値増大回路９５を、増幅器１０５，１０６、クランプ回路１０７、コンパレータ１０８及び制御回路１０９とともに半導体基板１１６上に集積することもできる。これら増幅器１０５，１０６、クランプ回路１０７、コンパレータ１０８、制御回路１０９及びピーク出力電流値増大回路９５を半導体基板１１６上に集積することによって、電源回路９１を小型かつ高性能で実現することができる。
【００９３】
本実施の形態によれば、電流源１１９が流す電流の電流値を増大することによって、クランプ回路１０７が設定する増幅器１０５の出力のクランプ電圧を決定する基準電位（電流しきい値）、すなわち、クランプ回路１０７が設定する増幅器１０５の出力のクランプ電圧を増大することができる。
【００９４】
ピーク出力電流値増大回路９５は、電源部９４の入力電圧の変化量が所定の値より大きいことを検知した場合、出力電流値が出力部１０４に接続された負荷の起動に必要な電流値より大きくなるように、クランプ回路１０７が設定する増幅器１０５の出力のクランプ電圧を決定する基準電位（電流しきい値）を一定時間（例えば、電源部９４が停止してから復帰する途中までの時間以上の時間）だけ増大する。
【００９５】
本実施の形態では、ピーク出力電流値増大回路９５は、電源部９４の入力電圧の変化量が所定の値より大きいことを検知した場合、クランプ回路１０７が設定する増幅器１０５の出力のクランプ電圧を決定する基準電位（電流しきい値）を一定時間だけ増大する。
【００９６】
また、本実施の形態では、ピーク出力電流値増大回路９５は、抵抗１２２，１２３と、コンパレータ１２４と、タイマ制御回路１２５と、を有する。抵抗１２２の一端は、直流電源９３に接続され、抵抗１２２の他端は、抵抗１２３の一端に接続され、抵抗１２３の他端は、所定の電位のポイント（この場合、アース）に接続される。コンパレータ１２４は、抵抗１２２の他端と抵抗１２３の一端との間の接続点に接続された第１の入力部と、基準電圧が入力される第２の入力部と、タイマ制御回路１２５に接続された出力部と、を有する。タイマ制御回路１２５は、コンパレータ１２４の出力結果に応じて、クランプ回路１０７が設定する増幅器１０５の出力のクランプ電圧を一定時間だけ増大する。
【００９７】
なお、ピーク出力電流値増大回路９５が抵抗１２２，１２３、コンパレータ１２４及びタイマ制御回路１２５を有する構成について説明したが、ピーク出力電流値増大回路９５の構成はこれに限定されるものではない。
【００９８】
本実施の形態によれば、電源部９４の入力電圧の変化量が所定の値より大きい場合に、出力電流値が出力部１０４に接続された負荷の起動に必要な電流値より大きくなるように、クランプ回路１０７が設定する増幅器１０５の出力のクランプ電圧を決定する基準電位（電流しきい値）を一定時間だけ増大するので、電源回路９１の入力電圧値が正常な電圧値に復帰したときに、電源回路９１の出力電圧値を正常な電圧値に復帰することができる。
【００９９】
本実施の形態において、抵抗１１８を可変抵抗にするとともに電流源１１９を定電流源とし、抵抗１１８の抵抗値を増大することによって、クランプ回路１０７が設定する増幅器１０５の出力のクランプ電圧を決定する基準電位（電流しきい値）、すなわち、クランプ回路１０７が設定する増幅器１０５の出力のクランプ電圧を増大することもできる。
【０１００】
図１２は、本発明による電源回路の第６の実施の形態の回路図である。なお、図１２において、図１１と共通する部分に同一符号を付す。図１２に示す電源回路１３１は、車両制御装置のような電子機器１３２に備えられており、直流電源９３から入力される直流電圧（例えば、１３Ｖ）を任意の直流電圧（例えば、３．３Ｖ）に変換して出力する電源部９４と、ピーク出力電流値増大回路１３３と、を有する。電源部９４は、図１１に示す電源部９４と同一構成を有するので、その説明を省略する。
【０１０１】
ピーク出力電流値増大回路１３３は、電源部９４の出力電圧の変化量が所定の値より大きいことを検知した場合、出力電流値が出力部１０４に接続された負荷の起動に必要な電流値より大きくなるように、クランプ回路１０７が設定する増幅器１０５の出力のクランプ電圧を決定する基準電位（電流しきい値）を一定時間（例えば、電源部９４が停止してから復帰する途中までの時間以上の時間）だけ増大する。
【０１０２】
本実施の形態では、ピーク出力電流値増大回路１３３は、電源部９４の出力電圧の変化量が所定の値より大きいことを検知した場合、クランプ回路１０７が設定する増幅器１０５の出力のクランプ電圧を決定する基準電位（電流しきい値）を一定時間だけ増大する。
【０１０３】
また、本実施の形態では、ピーク出力電流値増大回路１３３は、抵抗１３４，１３５と、コンパレータ１３６と、タイマ制御回路１３７と、を有する。抵抗１３４の一端は、電源部９４の出力側に接続され、抵抗１３４の他端は、抵抗１３５の一端に接続され、抵抗１３５の他端は、所定の電位のポイント（この場合、アース）に接続される。コンパレータ１３６は、抵抗１３４の他端と抵抗１３５の一端との間の接続点に接続された第１の入力部と、基準電圧が入力される第２の入力部と、タイマ制御回路１３７に接続された出力部と、を有する。タイマ制御回路１３７は、コンパレータ１３６の出力結果に応じて、クランプ回路１０７が設定する増幅器１０５の出力のクランプ電圧を一定時間だけ増大する。
【０１０４】
なお、ピーク出力電流値増大回路１３３が抵抗１３４，１３５、コンパレータ１３６及びタイマ制御回路１３７を有する構成について説明したが、ピーク出力電流値増大回路１３３の構成はこれに限定されるものではない。
【０１０５】
本実施の形態によれば、電源部９４の出力電圧の変化量が所定の値より大きい場合に、出力電流値が出力部１０４に接続された負荷の起動に必要な電流値より大きくなるように、クランプ回路１０７が設定する増幅器１０５の出力のクランプ電圧を決定する基準電位（電流しきい値）を一定時間だけ増大するので、電源回路１３１の入力電圧値が正常な電圧値に復帰したときに、電源回路１３１の出力電圧値を正常な電圧値に復帰することができる。
【０１０６】
上記実施の形態において、電流値と電圧値との関係がフの字特性に従って規定される場合について説明したが、本発明による電源回路において、電流値と電圧値との関係を、アの字特性のような他の過電流保護特性に従って規定することもできる。
【符号の説明】
【０１０７】
１，６１，７１，８１，９１，１３１    電源回路
２，６２，７２，８２，９２，１３２    電子機器
３，９３    直流電源
４，５，７３，９４    電源部
６，６３，７４，８３，９５，１３３    ピーク出力電流値増大回路
７，２８，９６    主スイッチング素子
８，２９，９７    同期整流用スイッチング素子
９，３０，９８    コンデンサ
１０，３１，９９    コイル
１１，１２，１３，３２，３３，３４，４９，５０，６４，６５，７７，７８，８４，８５，１００，１０１，１０２，１１７，１１８，１２２，１２３，１３４，１３５    抵抗
１４，３５，７５，１０３    制御ＩＣ
１５，３６，１０４    出力部
１６，１７，３７，３８，７６，１０５，１０６    増幅器
１８，３９，１０７    クランプ回路
１９，４０，５１，６６，７９，８６，１０８，１２０，１２４，１３６    コンパレータ
２０，４１，１０９    制御回路
２１，２２，２３，２４，２５，２６，４２，４３，４４，４５，４６，４７，１１０，１１１，１１２，１１３，１１４，１１５    端子
２７，４８，１１６    半導体基板
５２，６７，８０，８７，１２５，１３７    タイマ制御回路
１１９    電流源
１２１    トランジスタ
【図１】
2012085488.tif 000003
【図２】
2012085488.tif 000004
【図３】
2012085488.tif 000005
【図４】
2012085488.tif 000006
【図５】
2012085488.tif 000007
【図６】
2012085488.tif 000008
【図７】
2012085488.tif 000009
【図８】
2012085488.tif 000010
【図９】
2012085488.tif 000011
【図１０】
2012085488.tif 000012
【図１１】
2012085488.tif 000013
【図１２】
2012085488.tif 000014